(57)【要約】      （修正有）【課題】定期点検時の誤操作や不特定多数の人による操作などによる警報音設定の変更を防止することのできるガス漏れ検知器を提供する。【解決手段】電源投入時にのみ、特に、電源投入時にガス漏れ検知器に設けられたスイッチの状態がON状態である時にのみ、警報音設定の切換えが行われるようにする。警報音設定が有効に切換えられたとき、警報音設定が有効である旨を報知する確認音をブザーから鳴動し、警報音設定の有効，無効がＥＥＰＲＯＭに書込まれる。【選択図】図２
2018097511.tif 000002
【特許請求の範囲】
【請求項１】
警報音発生の有効と無効に関する警報音設定を切換えられるガス漏れ検知器であって、
電源投入時にのみ前記警報音設定の切換えが行われるようになっていることを特徴とするガス漏れ検知器。
【請求項２】
電源投入時に前記ガス漏れ検知器に設けられた入力部から入力される入力信号が所定の状態である時にのみ、前記警報音設定の切換えが行われるようになっていることを特徴とする、請求項１に記載のガス漏れ検知器。
【請求項３】
前記入力部が、電源投入後の動作時には、前記警報音設定を切換える以外の信号を入力するために用いられることを特徴とする、請求項２に記載のガス漏れ検知器。
【請求項４】
電源投入時の前記警報音発生の有無によって、前記警報音設定を報知するようになっていることを特徴とする、請求項１から３のいずれか一項に記載のガス漏れ検知器。
【請求項５】
前記警報音設定が有効である場合には、電源投入時に前記警報音を発生させ、前記警報音設定が無効である場合には、電源投入時に前記警報音を発生させないようになっていることを特徴とする、請求項４に記載のガス漏れ検知器。
【請求項６】
前記ガス漏れ検知器に設けられた記憶部に前記警報音設定を記憶し、
前記電源をオフにした後に復電する場合には、前記記憶部に記憶された復電前の警報音設定を読込んで再起動するようになっていることを特徴とする、請求項１から５のいずれか一項に記載のガス漏れ検知器。
【請求項７】
前記ガス漏れ検知器に設けられた光源の点灯と点滅の違いもしくは点滅周期の違い、または色の違いによって、前記警報音設定を報知するようになっていることを特徴とする、請求項１から６のいずれか一項に記載のガス漏れ検知器。
【発明の詳細な説明】
【技術分野】
【０００１】
本発明は、ガス漏れ検知器に係り、特に、ガス漏れを検知したときの警報音の発生の有効と無効とを切換えるようにされたガス漏れ検知器に関する。
【背景技術】
【０００２】
この種のガス漏れ検知器の従来技術として、例えば店舗の売り場での定期点検時などに警報音を発生しないようにするために、専用の警報停止スイッチを操作した時に警報音（信号音や音声）を停止する（無効にする）ものが知られている（例えば、下記特許文献１参照）。
【先行技術文献】
【特許文献】
【０００３】
【特許文献１】特開昭５９−００８０９７号公報
【発明の概要】
【発明が解決しようとする課題】
【０００４】
しかしながら、前記した如くの従来のガス漏れ検知器では、前記スイッチの操作で簡単に警報音の有効（鳴る設定）・無効（鳴らない設定）の設定（以下、警報音設定という）が切換えられるため、例えば、定期点検時の誤操作や、店舗などに設置した場合の不特定多数の人による操作などによって、その警報音設定が変わってしまうといった問題があった。
【０００５】
本発明は、上記事情に鑑みてなされたものであって、その目的とするところは、定期点検時の誤操作や不特定多数の人による操作などによる警報音設定の変更を防止することのできるガス漏れ検知器を提供することにある。
【課題を解決するための手段】
【０００６】
前記した課題を解決すべく、本発明に係るガス漏れ検知器は、警報音発生の有効と無効に関する警報音設定を切換えられるガス漏れ検知器であって、電源投入時にのみ前記警報音設定の切換えが行われるようになっていることを特徴としている。
【０００７】
好ましい態様では、電源投入時に前記ガス漏れ検知器に設けられた入力部から入力される入力信号が所定の状態である時にのみ、前記警報音設定の切換えが行われるようになっている。
【０００８】
更に好ましい態様では、前記入力部が、電源投入後の動作時には、前記警報音設定を切換える以外の信号を入力するために用いられる。
【０００９】
別の好ましい態様では、電源投入時の前記警報音発生の有無によって、前記警報音設定を報知するようになっている。
【００１０】
更に好ましい態様では、前記警報音設定が有効である場合には、電源投入時に前記警報音を発生させ、前記警報音設定が無効である場合には、電源投入時に前記警報音を発生させないようになっている。
【００１１】
他の好ましい態様では、前記ガス漏れ検知器に設けられた記憶部に前記警報音設定を記憶し、前記電源をオフにした後に復電する場合には、前記記憶部に記憶された復電前の警報音設定を読込んで再起動するようになっている。
【００１２】
他の好ましい態様では、前記ガス漏れ検知器に設けられた光源の点灯と点滅の違いもしくは点滅周期の違い、または色の違いによって、前記警報音設定を報知するようになっている。
【発明の効果】
【００１３】
本発明に係るガス漏れ検知器によれば、電源投入時にのみ警報音発生の有効・無効の警報音設定の切換えが行われるようになっている、特に、電源投入時にガス漏れ検知器に設けられた入力部から入力される入力信号が所定の状態である時にのみ、前記警報音設定の切換えが行われるようになっているので、前記警報音設定の切換えが簡単に行われなくなり、定期点検時の誤操作や不特定多数の人による操作などによる警報音設定の変更を確実に防止することが可能となる。
【００１４】
また、前記入力部が、電源投入後の動作時には、前記警報音設定を切換える機能以外の前記ガス漏れ検知器の所定の機能（例えば、発生された警報音を中断させる機能）に使用可能となっているので、特許文献１に所載のような専用のスイッチを必要とせずに警報音設定を切換えることができ、部品点数の削減やコストダウンを図ることができる。
【００１５】
また、電源投入時の前記警報音発生の有無、光源の点灯と点滅の違い、点滅周期の違い、及び色の違いのうち少なくとも一つを用いることによって、前記警報音設定を報知するようになっているので、当該ガス漏れ検知器を扱う作業者や使用者などが警報音設定（の状態）を容易に把握することができる。
【図面の簡単な説明】
【００１６】
【図１】本発明に係るガス漏れ検知器の一実施形態の回路図である。
【図２】図１に示されるガス漏れ検知器の電源投入時の動作を示すフローチャートである。
【図３】図１に示されるガス漏れ検知器の電源表示用光源の点灯パターン選択の動作を示すフローチャートである。
【図４】図１に示されるガス漏れ検知器の警報時の警報音鳴動の動作を示すフローチャートである。
【発明を実施するための形態】
【００１７】
以下、本発明の実施形態について図面を参照して説明する。
【００１８】
＜ガス漏れ検知器の構成＞
図１は、本発明に係るガス漏れ検知器の一実施形態の回路図を示している。
図１に示すように、ガス漏れ検知器１には、雰囲気中から検出ガスの濃度（ガス漏れ）を検出するためのガスセンサ１０、作業者や使用者などの操作用の入力部としてのスイッチ２０、警報時に警報音を発生させる（鳴らす）ための警報音発生部としてのブザー３０、LEDライトなどからなる表示部としての電源表示用光源４０及び警報表示用光源４１、警報を外部に出力する出力部としてのリレー５０が設けられるとともに、それらを制御する制御部としてのマイコン６０が搭載されている。また、図示は省略するが、ガス漏れ検知器１には、当該ガス漏れ検知器１に給電する（電源を投入する）ための電源投入部（例えば、コンセントや電源投入用スイッチなど）が設けられている。
【００１９】
マイコン６０には、周辺回路との信号の入出力に必要な入出力ポート（I/O）６１、電圧を読み込むA/D変換器６２、警報音設定などを記憶する不揮発性の記憶部としてのEEPROM６３、割り込み処理等の時間を計測するタイマー６４、プログラム等を格納するROM６６、ROM６６に格納したプログラムの実行や演算処理を行うCPU６７、プログラムの実行に必要なデータを一時的に記憶するRAM６５などが備えられている。
【００２０】
マイコン６０のA/D変換器６２には、ガスセンサ１０の出力電圧が接続されるとともに、入出力ポート（I/O）６１の出力ポートには、ブザー３０、電源表示用光源４０、警報表示用光源４１、リレー５０等が接続され、入出力ポート（I/O）６１の入力ポートには、スイッチ２０が接続されている。
【００２１】
ここでは、入力部としてスイッチ２０、警報音発生部としてブザー３０、表示部として電源表示用光源４０及び警報表示用光源４１、出力部としてリレー５０を採用しているが、これに限定されず、他の手段を使用しても良い。
【００２２】
すなわち、前記マイコン６０には、スイッチ２０から入力される入力信号を受け取る機能や、ブザー３０を制御して警報音を発生（鳴動）・消音させる機能、電源表示用光源４０及び警報表示用光源４１を制御して発光・消灯させる機能、リレー５０を介して出力信号を出力する機能などが備えられるとともに、前記警報音発生の有効と無効に関する警報音設定を切換える機能が備えられている。
【００２３】
また、スイッチ２０には、電源投入後の動作時に、テスト開始やブザー鳴動の中断などを行う機能が割り当てられるとともに、電源投入時にのみ、警報音設定の切換えを行う機能が割り当てられる（後で詳述）。このスイッチ２０は例えば押しボタン式のスイッチで、スイッチを押している間のみON状態となるタイプであっても良い。
【００２４】
マイコン６０は、不図示の電源投入部を介して電源が投入されると、電源表示用光源４０を点灯、又は点滅する。この電源表示用光源４０の点灯、又は点滅により、例えば点灯時は、警報時に警報音が鳴動する設定（警報音設定が有効）、5秒に1度の点滅時は、警報時に警報音が鳴動しない設定（警報音設定が無効）などであることが、作業者や使用者などに報知される。また、電源表示用光源４０が点灯した場合の色を変え、例えば、緑色は警報音設定が有効、オレンジ色は警報音設定が無効とするなどして、作業者や使用者などに報知しても良い。
【００２５】
また、電源投入後にガスセンサ１０の出力電圧の監視を開始しているマイコン６０は、ガス漏れや機器の故障と判断すると、警報表示用光源４１の点灯、又は点滅、リレー５０の出力などといった方法で警報する。
【００２６】
また、ブザー３０に関しては、マイコン６０は、前記警報音設定（の状態）に従い動作させる（後で詳述）。
【００２７】
なお、本実施形態のガス漏れ検知器１は、上記回路構成に限定するものではなく、本発明を実施可能な回路構成であれば、如何なる構成でも良いことは勿論である。
【００２８】
＜ガス漏れ検知器の動作＞
《電源投入時の動作》
次に、図２に示すフローチャートに基づき、ガス漏れ検知器１の電源投入時の動作、具体的には、警報音設定の有効・無効を切換える方法を説明する。
【００２９】
不図示の電源投入部を介して電源を投入（ステップＳ１）すると、マイコン６０はEEPROM６３から警報音設定を読込む（ステップＳ２）。ここで読込む警報音設定は、以前に電源をオフにした時点あるいは停電などで電源が落ちてしまった時点でEEPROM６３に記憶されている、今回の復電の直前の警報音設定である。読込んだ警報音設定が有効（鳴る設定）である場合（ステップＳ３：Yes）、続いてスイッチ２０のON/OFF状態（スイッチ２０から入力される入力信号の状態）を読込む（ステップＳ４）。スイッチ２０がOFF状態であった場合（ステップＳ５：No）、警報音設定が有効である旨を報知する確認音（本例では、警報音と同じ音）をブザー３０から鳴動し（ステップＳ６）、処理を終了する。一方、スイッチ２０がON状態であった場合（ステップＳ５：Yes）、警報音設定を有効から無効（鳴らない設定）に変更し（ステップＳ７）、EEPROM６３に警報音設定は無効と書込み（ステップＳ８）、処理を終了する。このときは、ブザー３０から確認音（警報音）を鳴動しない。
【００３０】
一方で、読込んだ警報音設定が無効である場合（ステップＳ３：No）、続いてスイッチ２０のON/OFF状態を読込む（ステップＳ９）。スイッチ２０がOFF状態であった場合（ステップＳ１０：No）、警報音設定は無効のままで終了する。一方、スイッチ２０がON状態であった場合（ステップＳ１０：Yes）、警報音設定を無効から有効に変更し（ステップＳ１１）、警報音設定が有効である旨を報知する確認音（本例では、警報音と同じ音）をブザー３０から鳴動し（ステップＳ１２）、EEPROM６３に警報音設定が有効と書込み（ステップＳ８）、処理を終了する。
【００３１】
このように、電源投入時にスイッチ２０がON状態である場合には（例えば、押しボタン式のスイッチ２０を押しながら電源を投入した場合には）、EEPROM６３に記憶されている復電直前の警報音設定を変更してEEPROM６３に書き込むとともに、当該ガス漏れ検知器１では、警報音設定が有効である場合には、電源投入時に確認音が発生し、警報音設定が無効である場合には、電源投入時に確認音が発生しないようになっているので、電源投入時に、ガス漏れ検知器１を扱う作業者や使用者などが警報音設定（の状態）、つまり、警報音発生が有効か無効かを容易に把握することができる。
【００３２】
なお、EEPROM６３の（警報音設定の）読込みに失敗した場合は、フェールセーフの考えに基づき、警報音設定は有効で起動することとしても良い。
【００３３】
また、本例では、電源投入時の警報音設定（の状態）の確認のためにブザー３０から発生される確認音と警報時にブザー３０から発生される警報音とが同じ音としたが、確認用と警報用とを区別するために、確認音と警報音とを異なる音としても良い。
【００３４】
《電源表示用光源の点灯パターン選択の動作》
次に、図３に示すフローチャートに基づき、ガス漏れ検知器１の電源投入後の動作、具体的には、警報音設定毎の電源表示用光源４０の点灯パターン選択の方法を説明する。
【００３５】
マイコン６０は、警報音設定が有効である場合（ステップＳ２１：Yes）、電源表示用光源４０を点灯（ステップＳ２２）し、警報音設定が無効である場合（ステップＳ２１：No）、例えば電源表示用光源４０を5秒に1回の点滅（ステップＳ２３）の点灯パターンを選択する。
【００３６】
これにより、電源投入後の動作時に、ガス漏れ検知器１を扱う作業者や使用者などが警報音設定（の状態）、つまり、警報音発生が有効か無効かを容易に把握することができる。
【００３７】
なお、ここでは、電源表示用光源４０の点灯と点滅の違いで警報音設定（の状態）を報知しているが、例えば電源表示用光源４０の点滅周期の違いによって、警報音設定（の状態）を報知しても良い。また、前述のように、電源表示用光源４０の色の違いによって、警報音設定（の状態）を報知しても良い。
【００３８】
《警報時の警報音鳴動の動作》
図４に示すフローチャートに基づき、ガス漏れ検知器１の電源投入後の動作、具体的には、ガスセンサ１０がガスを検出し、ブザー３０から警報音を鳴動する時の動作を説明する。
【００３９】
マイコン６０は、ガスセンサ１０で雰囲気中から検出した検出ガスの濃度を定期的に確認しており（ステップＳ３１）、検出ガスの濃度が警報濃度未満であった場合（ステップＳ３２：No）、処理を終了する。一方、警報濃度以上のガスを検出した場合（ステップＳ３２：Yes）、警報音設定が有効である場合（ステップＳ３３：Yes）は、ブザー３０から警報音を鳴動し（ステップＳ３４）、警報音設定が無効である場合（ステップＳ３３：No）は、警報音は鳴動せずに処理を終了する。なお、警報濃度以上のガスを検出した場合（Ｓ３２：Yes）は、警報音設定の有効・無効に関わらずリレー５０を介して外部に出力、及び警報表示用光源４１で表示するようにしても良いことは勿論である。
【００４０】
以上の説明から分かるように、本実施形態のガス漏れ検知器１では、警報音設定を切換える機能を電源投入時にのみ有効とする、すなわち、電源投入時にのみ、特に、電源投入時にガス漏れ検知器１に設けられたスイッチ２０の状態がON状態である（スイッチ２０が操作されている、又は、押されている）時にのみ、警報音設定の切換えが行われるようにすることで、警報音設定の切換えが簡単に行われなくなり、定期点検時の誤操作や、店舗など不特定多数の人が触れる場所に設置した場合の不特定多数の人による操作などによる警報音設定の変更を確実に防止することが可能となる。
【００４１】
また、前記スイッチ２０は、電源投入後の動作時には、警報音設定を切換える機能以外のガス漏れ検知器１の所定の機能（例えば、発生された警報音を中断させる機能）に使用可能となり、電源投入時だけ警報音設定を切換える機能を持たせることで、専用のスイッチを必要とせずに警報音設定を切換えることができ、部品点数の削減やコストダウンを図ることができる。
【００４２】
また、電源投入時のブザー３０からの確認音（本例では、警報音と同じ音）発生の有無、及び／又は電源表示用光源４０の点灯パターンの違い（本例では点灯と５秒に１回の点滅）や色の違いなどによって、警報音設定を報知するようになっているので、当該ガス漏れ検知器１を扱う作業者や使用者などが前記警報音設定（の状態）を容易に把握することができる。
【符号の説明】
【００４３】
１    ガス漏れ検知器
１０  ガスセンサ
２０  スイッチ（入力部）
３０  ブザー
４０  電源表示用光源
４１  警報表示用光源
５０  リレー
６０  マイコン
６１  入出力ポート（I/O）
６２  A/D変換器
６３  EEPROM（記憶部）
６４  タイマー
６５  RAM
６６  ROM
６７  CPU
【図１】
2018097511.tif 000003
【図２】
2018097511.tif 000004
【図３】
2018097511.tif 000005
【図４】
2018097511.tif 000006